(57)【要約】【課題】コピーモード原稿と加筆処理モード原稿が混在しても、利用者が望む所定の動作を遂行可能な画像処理装置および画像処理方法を提供する。【解決手段】画像入力部２は、原稿の画像を読み取り、その結果をページメモリ４にストックする。加筆処理部６は、制御部１から加筆処理の要求を受け取ると、画像上のバーコードを検出する。加筆処理部６は、ページメモリ４からページ分の画像を受け取り、所定のプロセスで帳票を特定し帳票に応じた処理コマンドを加筆処理メモリ５に蓄積する。制御部１は、その処理コマンドを印刷部３などに実行させる。【選択図】　　　　図６
2004104713.tif 000002
【特許請求の範囲】
【請求項１】
所定枚数の原稿の全画像を読み取り、該読み取った原稿の全画像のうち、加筆原稿の画像における加筆部分を読み取って文字認識し、前記原稿の全画像のうち、前記加筆原稿ではない原稿の画像の印刷出力に先立って、前記読み取った文字情報を処理することを特徴とする画像処理装置。
【請求項２】
所定枚数の原稿の画像を１枚ごと読み取る画像入力手段と、前記原稿上の情報を読み取って、前記画像入力手段により読み取られた原稿の画像が加筆原稿であるか否かを判定する加筆原稿判定手段と、
前記加筆原稿判定手段により前記原稿の画像が前記加筆原稿であると判断された場合、前記加筆原稿に指示された処理命令を抽出し、格納する処理命令格納手段と、
前記加筆原稿の画像で加筆された部分の文字情報を認識して抽出し、該抽出した文字情報を用い、前記処理命令に応じた処理である加筆処理を行う加筆処理手段と、
前記加筆原稿判定手段により前記原稿の画像が前記加筆原稿ではないと判定された場合、前記原稿の画像に印刷処理を行う印刷処理手段と、を有し、
前記加筆処理手段は、
前記画像入力手段により全原稿の画像読み取り後、前記印刷処理手段による印刷処理の実行前に、前記加筆処理を行うことを特徴とする画像処理装置。
【請求項３】
前記加筆処理手段は、
前記処理命令に応じて、前記抽出した文字情報を所定の格納領域に格納することを特徴とする請求項２記載の画像処理装置。
【請求項４】
前記加筆処理手段は、
前記処理命令に応じて、前記抽出した文字情報を接続されている他の機器に送信することを特徴とする請求項２または３記載の画像処理装置。
【請求項５】
前記加筆処理手段は、
所定の前記原稿の画像の処理命令に応じて、後続する１枚以上の原稿の画像の加筆処理を行うことを特徴とする請求項２から４のいずれか１項に記載の画像処理装置。
【請求項６】
所定の情報入力を検出すると、自身に格納される値を変化させる情報格納手段と、
前記加筆処理手段は、
前記情報格納手段により格納された値の変化を検出すると、前記処理命令に応じた加筆処理を開始することを特徴とする請求項２から５のいずれか１項に記載の画像処理装置。
【請求項７】
前記画像入力手段による画像読み取りの終了指示情報を入力する情報入力手段を有し、
前記情報格納手段は、
前記情報入力手段により画像読み取りの終了指示情報が入力されると、前記自身に格納される情報を変化させることを特徴とする請求項６記載の画像処理装置。
【請求項８】
前記画像入力手段により読み取られた全原稿の画像に対する処理内容が、前記加筆処理および前記印刷処理のうちのいずれであるかを示す処理内容情報を前記読み取られた原稿順に並べて検出する処理内容検出手段と、
前記処理内容検出手段により検出された処理内容情報に応じて、前記各原稿の処理内容の設定入力を外部から受け付ける処理設定受付手段と、
を有することを特徴とする請求項２から７のいずれか１項に記載の画像処理装置。
【請求項９】
前記処理設定受付手段は、
前記処理内容検出手段により、前記原稿の画像の処理内容が、前記印刷処理、前記加筆処理の順に検出された場合、該加筆処理の原稿の画像に対する処理内容の設定入力を外部から受け付けることを特徴とする請求項８記載の画像処理装置。
【請求項１０】
前記処理設定受付手段は、
前記処理内容検出手段により、前記原稿の画像の処理内容として前記加筆処理が連続して検出された場合、該後段の加筆処理の原稿の画像に対する処理内容の設定入力を外部から受け付けることを特徴とする請求項８または９記載の画像処理装置。
【請求項１１】
読み取った原稿の画像処理を行う画像処理装置を用いた画像処理方法であって、
所定枚数の原稿の全画像を読み取り、該読み取った原稿の全画像のうち、加筆原稿の画像における加筆部分を読み取って文字認識し、前記原稿の全画像のうち、前記加筆原稿ではない原稿の画像の印刷出力に先立って、前記読み取った文字情報を処理することを特徴とする画像処理方法。
【請求項１２】
読み取った原稿の画像処理を行う画像処理装置を用いた画像処理方法であって、
前記原稿上の情報を読み取って、所定枚数の原稿の画像を１枚ごと読み取る画像入力工程と、
前記画像入力工程により読み取られた原稿の画像が加筆原稿であるか否かを判定する加筆原稿判定工程と、
前記加筆原稿判定工程により前記原稿の画像が前記加筆原稿であると判断された場合、前記加筆原稿に指示された処理命令を抽出し、格納する処理命令格納工程と、
前記加筆原稿の画像で加筆された部分の文字情報を認識して抽出し、該抽出した文字情報を用い、前記処理命令に応じた処理である加筆処理を行う加筆処理工程と、
前記加筆原稿判定工程により前記原稿の画像が前記加筆原稿ではないと判定された場合、前記原稿の画像に印刷処理を行う印刷処理工程と、を有し、
前記加筆処理工程は、
前記画像入力工程により全原稿の画像読み取り後、前記印刷処理工程による印刷処理の実行前に、前記加筆処理を行うことを特徴とする画像処理方法。
【請求項１３】
前記加筆処理工程は、
前記処理命令に応じて、前記抽出した文字情報を所定の格納領域に格納することを特徴とする請求項１２記載の画像処理方法。
【請求項１４】
前記加筆処理工程は、
前記処理命令に応じて、前記抽出した文字情報を接続されている他の機器に送信することを特徴とする請求項１２または１３記載の画像処理方法。
【請求項１５】
前記加筆処理工程は、
所定の前記原稿の画像の処理命令に応じて、後続する１枚以上の原稿の画像の加筆処理を行うことを特徴とする請求項１２から１４のいずれか１項に記載の画像処理方法。
【請求項１６】
所定の情報入力を検出すると、自身に格納される値を変化させる情報格納工程と、
前記加筆処理工程は、
前記情報格納工程により格納された値の変化を検出すると、前記処理命令に応じた加筆処理を開始することを特徴とする請求項１２から１５のいずれか１項に記載の画像処理方法。
【請求項１７】
前記画像入力工程による画像読み取りの終了指示情報を入力する情報入力工程を有し、
前記情報格納工程は、
前記情報入力工程により画像読み取りの終了指示情報が入力されると、前記自身に格納される情報を変化させることを特徴とする請求項１６記載の画像処理方法。
【請求項１８】
前記画像入力工程により読み取られた全原稿の画像に対する処理内容が、前記加筆処理および前記印刷処理のうちのいずれであるかを示す処理内容情報を前記読み取られた原稿順に並べて検出する処理内容検出工程と、前記処理内容検出工程により検出された処理内容情報に応じて、前記各原稿の処理内容の設定入力を外部から受け付ける処理設定受付工程と、
を有することを特徴とする請求項１２から１７のいずれか１項に記載の画像処理方法。
【請求項１９】
前記処理設定受付工程は、
前記処理内容検出工程により、前記原稿の画像の処理内容が、前記印刷処理、前記加筆処理の順に検出された場合、該加筆処理の原稿の画像に対する処理内容の設定入力を外部から受け付けることを特徴とする請求項１８記載の画像処理方法。
【請求項２０】
前記処理設定受付工程は、
前記処理内容検出工程により、前記原稿の画像の処理内容として前記加筆処理が連続して検出された場合、該後段の加筆処理の原稿の画像に対する処理内容の設定入力を外部から受け付けることを特徴とする請求項１８または１９記載の画像処理方法。
【発明の詳細な説明】
【０００１】
【発明の属する技術分野】
本発明は、画像処理装置および画像処理方法に関し、特に、複写を目的とする原稿と帳票処理を目的とする原稿が混在した複数枚の原稿の処理を行う画像処理装置および画像処理方法に関する。
【０００２】
【従来の技術】
従来、複写機に代表される画像形成装置は、装置本体に設けられたスタートボタンが押下されると、原稿台に置かれた用紙、あるいはＡＤＦ（オートドキュメントフィーダー）に装置に複数枚セットされた用紙の複写を行っていた。
【０００３】
一方、帳票処理の自動化の分野においては、利用者によって加筆された紙帳票の画像イメージを読み取り、これを帳票処理システムが加筆された内容を抽出しテキストなどの電子情報に置き換えて再利用するシステムが実用化されている。これは、電子帳票のレイアウトやレイアウト上の要素に加筆された場合に、システムが起す動作命令を記述した帳票定義体なる電子情報を定義し、加筆された帳票画像読み込み時に帳票と対応する帳票定義体を呼び出して、文字認識を含む動作・処理命令を自動実行することで実現している。
【０００４】
帳票定義体と紙帳票を関連付ける従来技術には、特開平７−１７５８９１号公報（以下、特許文献１）が開示するところの帳票処理装置があった。特許文献１では、帳票印刷時に、帳票定義体に参照可能な識別ＩＤをエンコードしたバーコードを重畳させた印刷帳票を作成し、読み取り時にバーコードから帳票定義体を特定していた。
【０００５】
また、特開平４−２６２６６０号公報（以下、特許文献２）が開示するところの画像認識出力装置では、紙帳票イメージから表構造を認識して、対応する帳票定義体を特定していた。
【０００６】
また、特開平９−３０５６８６号公報（以下、特許文献３）が開示するところの帳票フォーマットの登録方法と帳票の仕分け方法では、利用者が読み取った紙帳票イメージと帳票定義体をＰＣ上で対話的に関連付けていた。
【０００７】
【特許文献１】
特開平７−１７５８９１号公報
【特許文献２】
特開平４−２６２６６０号公報
【特許文献３】
特開平９−３０５６８６号公報
【０００８】
【発明が解決しようとする課題】
紙への筆記を単票単位で入力データとする従来の画像形成装置は、複写を目的（コピーモード）とする原稿と帳票処理（加筆処理モード）を目的とする原稿が混在した複数枚の原稿の処理を行う場合、各モードの切れ目の判断が適切に行われなくなり、その結果として所望の動作を遂行させることができない場合があった。
【０００９】
また、特許文献１−３の発明は、いずれも１枚の帳票単位で完結する処理システムである。
【００１０】
本発明は、上記問題点に鑑みてなされたものであり、コピーモード原稿と加筆処理モード原稿が混在しても、利用者が望む所定の動作を遂行可能な画像処理装置および画像処理方法を提供することを目的とする。
【００１１】
【課題を解決するための手段】
かかる目的を達成するため、請求項１記載の発明は、所定枚数の原稿の全画像を読み取り、読み取った原稿の全画像のうち、加筆原稿の画像における加筆部分を読み取って文字認識し、原稿の全画像のうち、加筆原稿ではない原稿の画像の印刷出力に先立って、読み取った文字情報を処理することを特徴とする。
【００１２】
また、請求項２記載の発明は、所定枚数の原稿の画像を１枚ごと読み取る画像入力手段と、原稿上の情報を読み取って、画像入力手段により読み取られた原稿の画像が加筆原稿であるか否かを判定する加筆原稿判定手段と、加筆原稿判定手段により原稿の画像が加筆原稿であると判断された場合、加筆原稿に指示された処理命令を抽出し、格納する処理命令格納手段と、加筆原稿の画像で加筆された部分の文字情報を認識して抽出し、抽出した文字情報を用い、処理命令に応じた処理である加筆処理を行う加筆処理手段と、加筆原稿判定手段により原稿の画像が加筆原稿ではないと判定された場合、原稿の画像に印刷処理を行う印刷処理手段と、を有し、加筆処理手段は、画像入力手段により全原稿の画像読み取り後、印刷処理手段による印刷処理の実行前に、加筆処理を行うことを特徴とする。
【００１３】
また、請求項３記載の発明によれば、請求項２記載の画像処理装置において、加筆処理手段は、処理命令に応じて、抽出した文字情報を所定の格納領域に格納することを特徴とする。
【００１４】
また、請求項４記載の発明によれば、請求項２または３記載の画像処理装置において、加筆処理手段は、処理命令に応じて、抽出した文字情報を接続されている他の機器に送信することを特徴とする。
【００１５】
また、請求項５記載の発明によれば、請求項２から４のいずれか１項に記載の画像処理装置において、加筆処理手段は、所定の原稿の画像の処理命令に応じて、後続する１枚以上の原稿の画像の加筆処理を行うことを特徴とする。
【００１６】
また、請求項６記載の発明によれば、請求項２から５のいずれか１項に記載の画像処理装置において、所定の情報入力を検出すると、自身に格納される値を変化させる情報格納手段と、加筆処理手段は、情報格納手段により格納された値の変化を検出すると、処理命令に応じた加筆処理を開始することを特徴とする。
【００１７】
また、請求項７記載の発明によれば、請求項６記載の画像処理装置において、画像入力手段による画像読み取りの終了指示情報を入力する情報入力手段を有し、情報格納手段は、情報入力手段により画像読み取りの終了指示情報が入力されると、自身に格納される情報を変化させることを特徴とする。
【００１８】
また、請求項８記載の発明によれば、請求項２から７のいずれか１項に記載の画像処理装置において、画像入力手段により読み取られた全原稿の画像に対する処理内容が、加筆処理および印刷処理のうちのいずれであるかを示す処理内容情報を読み取られた原稿順に並べて検出する処理内容検出手段と、処理内容検出手段により検出された処理内容情報に応じて、各原稿の処理内容の設定入力を外部から受け付ける処理設定受付手段と、を有することを特徴とする。
【００１９】
また、請求項９記載の発明によれば、請求項８記載の画像処理装置において、処理設定受付手段は、処理内容検出手段により、原稿の画像の処理内容が、印刷処理、加筆処理の順に検出された場合、加筆処理の原稿の画像に対する処理内容の設定入力を外部から受け付けることを特徴とする。
【００２０】
また、請求項１０記載の発明によれば、請求項８または９記載の画像処理装置において、処理設定受付手段は、処理内容検出手段により、原稿の画像の処理内容として加筆処理が連続して検出された場合、後段の加筆処理の原稿の画像に対する処理内容の設定入力を外部から受け付けることを特徴とする。
【００２１】
また、請求項１１記載の発明は、読み取った原稿の画像処理を行う画像処理装置を用いた画像処理方法であって、所定枚数の原稿の全画像を読み取り、読み取った原稿の全画像のうち、加筆原稿の画像における加筆部分を読み取って文字認識し、原稿の全画像のうち、加筆原稿ではない原稿の画像の印刷出力に先立って、読み取った文字情報を処理することを特徴とする。
【００２２】
また、請求項１２記載の発明は、読み取った原稿の画像処理を行う画像処理装置を用いた画像処理方法であって、原稿上の情報を読み取って、所定枚数の原稿の画像を１枚ごと読み取る画像入力工程と、画像入力工程により読み取られた原稿の画像が加筆原稿であるか否かを判定する加筆原稿判定工程と、加筆原稿判定工程により原稿の画像が加筆原稿であると判断された場合、加筆原稿に指示された処理命令を抽出し、格納する処理命令格納工程と、加筆原稿の画像で加筆された部分の文字情報を認識して抽出し、抽出した文字情報を用い、処理命令に応じた処理である加筆処理を行う加筆処理工程と、加筆原稿判定工程により原稿の画像が加筆原稿ではないと判定された場合、原稿の画像に印刷処理を行う印刷処理工程と、を有し、加筆処理工程は、画像入力工程により全原稿の画像読み取り後、印刷処理工程による印刷処理の実行前に、加筆処理を行うことを特徴とする。
【００２３】
また、請求項１３記載の発明によれば、請求項１２記載の画像処理方法において、加筆処理工程は、処理命令に応じて、抽出した文字情報を所定の格納領域に格納することを特徴とする。
【００２４】
また、請求項１４記載の発明によれば、請求項１２または１３記載の画像処理方法において、加筆処理工程は、処理命令に応じて、抽出した文字情報を接続されている他の機器に送信することを特徴とする。
【００２５】
また、請求項１５記載の発明によれば、請求項１２から１４のいずれか１項に記載の画像処理方法において、加筆処理工程は、所定の原稿の画像の処理命令に応じて、後続する１枚以上の原稿の画像の加筆処理を行うことを特徴とする。
【００２６】
また、請求項１６記載の発明によれば、請求項１２から１５のいずれか１項に記載の画像処理方法において、所定の情報入力を検出すると、自身に格納される値を変化させる情報格納工程と、加筆処理工程は、情報格納工程により格納された値の変化を検出すると、処理命令に応じた加筆処理を開始することを特徴とする。
【００２７】
また、請求項１７記載の発明によれば、請求項１６記載の画像処理方法において、画像入力工程による画像読み取りの終了指示情報を入力する情報入力工程を有し、情報格納工程は、情報入力工程により画像読み取りの終了指示情報が入力されると、自身に格納される情報を変化させることを特徴とする。
【００２８】
また、請求項１８記載の発明によれば、請求項１２から１７のいずれか１項に記載の画像処理方法において、画像入力工程により読み取られた全原稿の画像に対する処理内容が、加筆処理および印刷処理のうちのいずれであるかを示す処理内容情報を読み取られた原稿順に並べて検出する処理内容検出工程と、処理内容検出工程により検出された処理内容情報に応じて、各原稿の処理内容の設定入力を外部から受け付ける処理設定受付工程と、を有することを特徴とする。
【００２９】
また、請求項１９記載の発明によれば、請求項１８記載の画像処理方法において、処理設定受付工程は、処理内容検出工程により、原稿の画像の処理内容が、印刷処理、加筆処理の順に検出された場合、加筆処理の原稿の画像に対する処理内容の設定入力を外部から受け付けることを特徴とする。
【００３０】
また、請求項２０記載の発明によれば、請求項１８または１９記載の画像処理方法において、処理設定受付工程は、処理内容検出工程により、原稿の画像の処理内容として加筆処理が連続して検出された場合、後段の加筆処理の原稿の画像に対する処理内容の設定入力を外部から受け付けることを特徴とする。
【００３１】
【発明の実施の形態】
（紙サービスの説明）
まず、紙への加筆を入力とするアプリケーション（「紙サービス」と呼ぶ）について図１〜３を用いて説明する。いずれも斜体文字は利用者によって手書きされた部分とする。
【００３２】
図１は、本発明の一実施形態における画像処理装置による自動発注処理を示す図である。利用者が帳票に必要事項を記入して、本発明の一実施形態における画像処理装置（例えば、複写機）に記入済み帳票を読み込ませると、画像処理装置は、帳票識別および加筆内容の抽出を行い、帳票で予め定義されたネットワーク上の発注テーブルに加筆した情報を自動挿入する。
【００３３】
図２は、本発明の一実施形態における画像処理装置のコピーモードを紙への加筆によって設定する処理を示す図である。図２のように、利用者が所望のコピーモードを加筆し、設定用紙を先頭にコピーする原稿をその後にセットして、画像処理装置のＡＤＦ（自動ドキュメントフィーダー）に挿入してコピーボタンを押すと、設定用紙で加筆された項目が画像処理装置のモードとしてセットされ、所望のコピー動作を行う。
【００３４】
図３は、本発明の一実施形態における画像処理装置によるＥ−Ｍａｉｌ送信動作を示す図である。図３のように、帳票にＥ−Ｍａｉｌアドレス、タイトル、本文を手書きし、送信する添付資料をその後にセットして同様にＡＤＦに挿入してコピーボタンを押すと、内部で手書きメールアドレス、タイトル内容、本文内容が抽出され、これら内容がＥ−Ｍａｉｌとしてパッケージングされてメールサーバを介して目的の宛先にメールを送信する。なお、抽出した文字情報は、Ｅ−Ｍａｉｌ以外でネットワーク上に送信されるとしてもよい。
【００３５】
このように、紙サービスは、老若男女・年齢を問わず誰にでも簡単にできる手書きを利用することで、利用者への簡易な情報サービスを提供する。また紙サービスは、コンピュータ環境で必要なアプリケーションやその操作の習得など厄介かつ時間がかかる手間を解消する面でも利用者に大きなメリットをもたらす。
【００３６】
（本実施形態における構成および動作の説明）
ここでこれら紙サービスを実現する具体的なシステムと技術を自動帳票処理システムの例にて説明する。図４は、自動帳票処理システム全体の構成図である。自動帳票処理システムは、帳票作成システム２０と、文書管理サーバ２１と、データベースサーバ２２と、帳票処理システム２３と、その間でやりとりが行われる帳票とを有する。自動帳票処理システムでは、帳票を除く構成要素はお互いに通信可能な状態であることとする。
【００３７】
図５の（ａ）は、帳票作成ソフトウエアが有する帳票データ定義テーブルを示す図である。また、図５の（ｂ）は、図５の（ａ）に示される帳票データ定義テーブルをＸＭＬファイルとして出力した例を示す図である。
【００３８】
帳票作成システム２０は、コンピュータと、プリンタと、コンピュータ上で動作する帳票作成ソフトウエアと、を有する。帳票作成ソフトウエアは、画面上で帳票の設計・設計された帳票データの保存および印刷の機能を持つ。
【００３９】
設計においては、レイアウトに使われる例えばテキストボックスやラベルのようなレイアウト要素の管理を行う。ここで○○申請書なる帳票２４ａを作成するとする。帳票作成ソフトウエアは、内部的に図５の（ａ）に示すような帳票データ定義テーブルをもつ。そしてレイアウト要素が定義・編集されるたびにそのテーブルを更新する。
【００４０】
帳票データ定義テーブルは、要素の識別子・名前・表示するテキスト・位置・大きさのようなレイアウト情報、該要素に加筆された内容をどのように認識するかを決める認識情報、およびどこに保存するかなどの保存情報などの情報を管理するテーブルである。
【００４１】
保存情報は、データベースサーバ２２に○○申請書テーブル２２ａなるものを作成し、そのテーブル上のデータを格納する列情報までを設定する情報である。
【００４２】
また、認識情報は、レイアウト要素をユーザが置いた時点でその目的から決まる。例えば、「数字を入力する」、「文字を入力する」、または「画像を入力する」などの入力目的の入力により認識情報が設定される。即ち、帳票を作成するユーザが画面上で対話的にレイアウト要素を配置し、その特性を対話的に入力することで、帳票データ定義テーブルの認識情報が更新される。
【００４３】
帳票作成ソフトウエアは、図５の（ａ）のテーブルを図５の（ｂ）のようなファイル形式で保存する。このファイルが帳票定義体である。図５の（ｂ）はテーブルをＸＭＬファイルとして出力した例である。さらに、帳票作成ソフトウエアは、帳票定義体を文書管理サーバ２１に登録する。文書管理サーバ２１は、帳票定義体を一意に決定できるＩＤを発行し、その発行したＩＤを帳票作成ソフトウエアに返す。ここでは、そのＩＤをバーコードＩＤ＝ＢＣ０００１としている。
【００４４】
帳票作成ソフトウエアは、文書管理サーバ２１から返された一意のＩＤをバーコード化し、帳票に重畳して帳票作成システム２０のプリンタに紙帳票２４ｂを出力させる。
【００４５】
文書管理サーバ２１は、コンピュータと、データベースソフトとを有する。文書管理サーバ２１は、文書の維持管理を行う。文書管理サーバ２１は、登録された文書に一意のＩＤを割り付け、図４のような管理テーブル２１ａで管理する。また、すでに発行したＩＤを受け取り、ＩＤに応じた文書を返す機能を持つ。
【００４６】
データベースサーバ２２は、コンピュータと、データベースソフトとを有し、帳票作成時には帳票のレイアウト要素が値を保存すべきテーブルの作成機能を持つ。また、後述する帳票処理ソフトウエアにより得られたレイアウト要素に書き込まれた加筆データを保存する機能を持つ。
【００４７】
帳票処理システム２３は、コンピュータと、スキャナと、コンピュータ上で動作する帳票処理ソフトウエアとを有する。申請者は、用意された帳票２４ｂに必要事項を記入する。帳票２４ｃは、申請者が帳票２４ｂに必要事項を記入した帳票である。
【００４８】
帳票処理ソフトウエアは、帳票２４ｃから申請者の加筆部分を取り出し、データベースサーバ２２の所定のテーブルに値を保存する。具体的には、帳票処理システム２３のスキャナに記入済み申請書（帳票２４ｃ）を入れ、これをスキャナで画像として読み取る。次に、帳票処理システム２３は、取得した画像からバーコードを取り出し、これをデコードし結果として識別ＩＤ＝ＢＣ０００１を得る。
【００４９】
帳票処理システム２３は、取得した識別ＩＤが帳票定義体データであることを認識し、文書管理サーバ２１に識別ＩＤを問い合わせ、これに相当する前述の帳票定義体を受け取る。即ち、加筆された帳票の設計情報を得ることになる。さらに帳票処理ソフトウエアは、本帳票定義体と取得した画像から加筆部分２４ｄを取り出す。その手法は、従来技術により実現可能である。
【００５０】
次に、帳票処理システムは、帳票定義体のレイアウト情報からレイアウト要素に対応する加筆部分を取得し、認識情報を用いて文字認識し、保存情報を用いて認識された結果をデータベースサーバ２２に送信する。
【００５１】
データベースサーバ２２は、受信した認識結果を自身の所定のテーブルに保存する。データベースサーバ２２は、帳票単位にレコードを追加し、そのレコードの保存情報で指定されている列に値を保存する。即ち申請書（帳票２４ｃ）を処理すると、データベースサーバ２２の○○申請書テーブル上の第１行目に図４では「０００１、山田太郎、０２５−１２−１２１２」と示されるデータが入ることになる。
【００５２】
このように、自動帳票処理システムは、帳票定義体を用いて、加筆された画像を読み取り、帳票の設計に応じたデータ処理を自動化している。自動帳票処理システムは、帳票定義体と加筆された帳票の画像とから、帳票で定義された加筆データを取得し、データテーブルへの値の設定など任意のコマンドや処理を自動実行することを可能としている。
【００５３】
図６は、本発明の一実施形態における画像処理装置の構成を示す図である。以下、本実施形態における画像処理装置の基本構成について説明する。
【００５４】
画像処理装置は、制御部１と、画像入力部２と、印刷部３と、ページメモリ４と、加筆処理メモリ５と、加筆処理部６と、通信部７と、外部サーバ８と、トリガメモリ９と、モード検出手段１０と、表示入力部１１と、を有する。
【００５５】
制御部１は、画像入力部２、印刷部３、ページメモリ４、加筆処理メモリ５、通信部７、トリガメモリ９、モード検出手段１０、および表示入力部１１を含む画像処理装置の各部位と接続されている。
【００５６】
制御部１は、全ての部位に対して制御を行ういわばロジックであり、各部位間のデータの往来を制御する。
【００５７】
画像入力部２は、加筆された帳票を読み取って画像化する機能を有する。ページメモリ４は、画像入力部２により読み取られた画像をページ単位に格納する。
【００５８】
加筆処理部６は、ページメモリ４、加筆処理メモリ５、およびモード検出手段１０に接続されており、帳票処理ソフトウエアのような帳票定義体の呼び出しと帳票定義体に基づいた加筆の処理を行う。通信部７は、通信処理を行う。外部サーバ８は、サーバ機能を有し、情報処理を行う部位である。加筆処理部６は、通信部７を介して外部のサーバ８などと情報のやり取りが行える。
【００５９】
加筆処理メモリ５は、加筆処理部６が処理する帳票の情報を保持する。表示入力部１１は、機器オペレータとのインターフェースであり、機器からのメッセージやオペレータからの入力を受け付ける。印刷部３は、ページメモリ４上の画像あるいは外部サーバ８から通信部７を介して送信されてきた印刷画像を紙にプリントアウトする部分である。モード検出手段１０及びトリガメモリ９は後で説明する。
【００６０】
図６に示される画像処理装置の基本構成をさらに具体的に示した実施例を図７および図８に示した。図７は、本発明の第１の実施例における画像処理装置の構成を示す図であって、画像処理装置を複写機とした場合を示す。
【００６１】
複写機（画像処理装置）は、ＣＰＵ１ａ（制御部１）と、スキャナ部２ａ（画像入力部２）と、プリンタ部３ａ（印刷部３）と、ページＲＡＭ４ａ（ページメモリ４）と、加筆処理ＲＡＭ５ａ（加筆処理メモリ５）と、帳票処理ソフト６ａ（加筆処理部６）と、ＴＣＰ／ＩＰ７ａ（通信部７）と、外部サーバ８ａ（外部サーバ８）と、トリガＲＡＭ９ａ（トリガメモリ９）と、モード検出手段１０ａ（モード検出手段１０）と、オペレーションパネル１１ａ（表示入力部１１）と、を有する。括弧内の部位は、それぞれ図７の複写機の各部位に対応する図６の画像処理装置の各部位を示す。複写機の場合これらは１つの筐体で閉じており、１つの機器として構成される。
【００６２】
図８は、本発明の第２の実施例における画像処理装置の構成を示す図であって、画像処理装置をコンピュータシステムとした場合を示す。
【００６３】
コンピュータシステム（画像処理装置）は、ＣＰＵ１ｂ（制御部１）と、デジタルカメラ２ｂ（画像入力部２）と、プリンタ３ｂ（印刷部３）と、画像格納メモリ４ｂ（ページメモリ４）と、加筆処理用メモリ５ｂ（加筆処理メモリ５）と、ソフトウエアルーチン６ｂ（加筆処理部６）と、ＴＣＰ／ＩＰ７ｂ（通信部７）と、帳票処理アプリ８ｂ（外部サーバ８）と、トリガ用メモリ９ｂ（トリガメモリ９）と、モード検出手段１０ｂ（モード検出手段１０）と、ディスプレイ１１ｂ（表示入力部１１）と、を有する。括弧内の部位は、それぞれ図８のコンピュータシステムの各部位に対応する図６の画像処理装置の各部位を示す。なお、ソフトウエアルーチン６ｂは、外部に存在する帳票処理アプリ８ｂを起動する機能を有する。また、各メモリにはＰＣ上のメモリ空間が該当している。
【００６４】
図９は、本発明の一実施形態における画像処理装置の各モード時のシーケンスを示す図である。以下、図９を用いて、画像処理装置における各モードの説明を行う。本実施形態では、原稿の複写作業を行う「コピーモード」と、加筆を処理する「加筆処理モード」とが存在する。ここでは動作を分かりやすくするため、機器にかけられる原稿は１枚とする。
【００６５】
「コピーモード」では、制御部１から送られてくる画像読み込み開始命令（例えば複写機におけるコピースタートボタン）により画像入力部２は設定されている原稿を画像として読み取り（Ｓ−１）、その結果をページメモリ４にストックする（Ｓ−２）。ページメモリ４上では画像がページ単位にスタックされている。
【００６６】
次に、制御部１は、加筆処理部６に対して加筆処理の要求を出す（Ｓ−３）。加筆処理部６は前述の通り、画像上に紙サービスのしるし（バーコード）の存在確認と加筆抽出を行うか否かの判断を行う。コピーモードでは、加筆抽出を行わない。
【００６７】
次に、制御部１は、印刷部３に対して印刷命令を送信する（Ｓ−４）。すると印刷部３は、ページメモリ４からページ数とページの画像データを受け取り、ページ単位の印刷を行う（Ｓ−５）。
【００６８】
一方、「加筆処理モード」では、制御部１から送られてくる画像読み込み開始命令（例えば複写機におけるコピースタートボタン）により、画像入力部２は、設定されている原稿を画像として読み取り（Ｓ−１０）、その結果をページメモリ４にストックする（Ｓ−１１）。ページメモリ４上では画像がページ単位にスタックされている。
【００６９】
次に、制御部１は、加筆処理部６に対して加筆処理の要求を出す（Ｓ−１２）。加筆処理部６は、画像上に紙サービスのしるし（バーコード）を検出し、加筆処理を行うと判断する。加筆処理部６は、ページメモリ４からページ分の画像を受け取り（Ｓ−１３）、所定のプロセスで帳票を特定し帳票に応じた処理コマンドを加筆処理メモリ５に蓄積する（Ｓ−１４）。
【００７０】
さらに、制御部１は、加筆処理の結果である処理コマンドを加筆処理メモリ５から受け取り（Ｓ−１５）、処理が機器外部を対象にしているものであれば、これを通信部７を介して処理を外部に行わせる（Ｓ−１６）。外部で処理された結果は再び制御部１に戻される（Ｓ−１７）。制御部１に戻された外部の処理結果には、外部処理の実行ステータスまたは印刷要求が含まれる場合がある。外部処理の結果に印刷要求が含まれる場合には、制御部１は、印刷内容を印刷部３に送信して印刷を指示する（Ｓ−１８）。印刷部３は、その印刷指示に応じて印刷を実行する。
【００７１】
（第１の動作例）
以下、画像処理装置が複数枚の原稿を連続的に読み込む状況（ＡＤＦ利用時）であって、原稿に「コピーモード」と「加筆処理モード」が混在する場合における画像処理装置側のモードの切れ目（モードの切換）の判断処理について説明する。
【００７２】
画像処理装置は、「コピーモード」と「加筆処理モード」とを備えていて、原稿の読み取りはＡＤＦを用い複数枚一括して行えることとする。
【００７３】
図１０は、従来の複写機による第１の動作例を示す図である。また、図１２は、本発明の一実施形態における画像処理装置による第１の動作例を示す図である。図１０および図１２には、画像処理装置の各部位（ページメモリ４、加筆処理メモリ５、印刷部３、制御部１、および通信部７）における各処理が示されている。
【００７４】
図１０および図１２における数字とバーコードが付いていない四角は、コピーをとるためのコピー用原稿、数字とバーコードが付いている四角はそれぞれ異なる紙サービスである。具体的には数字＝１は、図１の第１のサービス例（発注票）に、数字＝２は、図２の第２のサービス例（コピーモード設定用紙）に、数字＝３は、図３の第３のサービス例（Ｅ−Ｍａｉｌ送信票）にそれぞれ対応している。
【００７５】
第１の動作例では、画像処理装置は、ＡＤＦにかけられた６枚の原稿を処理する。ここでのオペレータの処理目的は１ページ目：発注処理、２ページ目：一般コピー、３ページ目：コピーモード設定、４ページ目：３ページ目で設定したコピーモードでの複写、５ページ目：Ｅ−Ｍａｉｌ送信、６ページ目：５ページ目のＥ−ｍａｉｌで用いる添付原稿であるとする。
【００７６】
従来の自動帳票処理可能な複写機では基本的に単票処理を行う。つまり、従来の複写機は、１枚の入力画像に対してその処理を遂行して、次に入力される画像を別物として扱う。このような場合、従来の複写機は、図１０に示されているように、１ページ目から５ページ目までは目的に添って自動処理するが、６ページ目の原稿で複写機はコピー原稿であると判断を誤り、メールに添付すべき原稿をコピーする。
【００７７】
本実施形態における画像処理装置は、画像入力部２から得られた全画像を一度ページメモリ４に取得し、ページメモリ４に蓄えられた全画像に対して加筆処理モードか否かを判定する。加筆処理モードの場合、画像処理装置は、処理する内容を決め、その結果を加筆処理メモリ５に一旦落としてから加筆処理メモリ５の中身に対して処理をバッチ的に行う。即ち、画像処理装置は、読み取った全画像に対する処理作法を一度加筆処理メモリ５にスタックする。
【００７８】
本実施形態における画像処理装置による第１の動作例を図１２にて説明する。図１２は、図１０と同様のオペレータの指示に対して本実施形態における画像処理装置を適用した場合の動作を示す図である。
【００７９】
本実施形態における画像処理装置は、画像入力部２から入力されたページメモリ４の画像データを加筆処理部６で順に処理し、加筆処理メモリ５の処理として図１２に示したような、連続する処理の命令を生成する。これらの処理の命令の各ページの切れ目には、加筆処理で行われるバーコードの存在判定、即ちモード判定結果が記述されている。
【００８０】
制御部１は、原稿にバーコードが設けられているか否かを判断し、バーコードが設けられていると判断した場合（紙サービスの原稿であると判断した場合）、加筆処理モードに設定する。また、制御部１は、原稿にバーコードが設けられていないと判断した場合（通常のコピー原稿であると判断した場合）、コピーモードに設定する。
【００８１】
制御部１は、バーコードを検出し、加筆処理モードに設定した後、バーコードにより記述された紙サービスの内容を判断する。制御部１は、原稿が図１のような発注票であると判断した場合、この原稿の処理が画像の引数を伴わないものであることを認識する。なお、「画像の引数」とは、所定の原稿の後続の原稿が、その所定の原稿で指定されている紙サービスで処理される場合に設定される情報である。
【００８２】
また、制御部１は、原稿が図２のようなコピーモード設定用紙であると判断した場合、１度設定した加筆処理モードをコピーモードに切り換える。
【００８３】
また、制御部１は、原稿が図３のようなＥ−Ｍａｉｌ送信票であると判断した場合、この原稿が画像の引数を伴うものであることを認識する。即ち、制御部１は、この原稿の後続の原稿を、この原稿に設定されているＥ−Ｍａｉｌ送信の紙サービスで処理する。
【００８４】
まず、制御部１は加筆処理メモリ５の内容を上から順に走査して実行する。制御部１は、１ページ目の原稿のバーコードを検出して「加筆処理モード」に設定し、その後バーコードの内容から発注票であることを認識し、その命令である命令Ａ１（記入内容を所定のテーブルに保存）に対して処理を進める。
【００８５】
制御部１は、命令Ａ１が画像の引数を伴っていないことを理解し（Ｓ１０１）、命令Ａ１を通信部７に送信する。通信部７は、命令Ａ１を受信すると、発注処理を行う。
【００８６】
次に、制御部１は、発注処理が終了すると、２ページ目の原稿のモード判定を行う。制御部１は、２ページ目の原稿のモードを「コピーモード」とし（Ｓ１０２）、特別な命令を行わない。従って、制御部１は、印刷部３に２ページ目のページメモリ４（２ページ目の原稿の画像データ）を渡す。印刷部３は、２ページ目の原稿データを受信すると、複写処理を行う（Ｓ１０３）。
【００８７】
次に、制御部１は、加筆処理メモリ５内の３ページ目の原稿に係るデータを処理する。制御部１は、３ページ目の原稿のモードを「加筆処理モード」であるとし（Ｓ１０４）、命令には後続する原稿を画像の引数とすることが暗黙として定義されている。そこで、制御部１は、命令Ａ２（記入内容をコピーモードに設定）に基づいてモードを加筆処理モードからコピーモードに設定を切り換える（Ｓ１０５）。
【００８８】
次に、制御部１は、４ページ目の原稿に係る処理を行う。制御部１は、モードは「コピーモード」であるとし（Ｓ１０６）、特別な命令が存在しないため、制御部１は、ページメモリ４内の４ページ目の画像データを印刷部３に送信する。印刷部３は、４ページ目の画像データを受信すると、受信した画像データの複写処理を行う。即ち、３ページ目の原稿で設定されたコピーモードに従って複写する。
【００８９】
次に、制御部１は５ページ目の原稿の処理を行う。制御部１は、モードが「加筆処理モード」であると認識し（Ｓ１０８）、後続の原稿（６ページ目の原稿）を画像の引数とする（Ｓ１０９）。制御部１は、この時点で通信部３には命令Ａ３（記入内容に従って後続の資料をメール）を送信しない。
【００９０】
最後に、制御部１は、最終ページである６ページ目の原稿の処理を行う。制御部１は、モードが「コピーモード」であると認識する（Ｓ１１０）。しかし、５ページ目の原稿で、６ページ目の原稿がＥ−Ｍａｉｌの添付原稿であると指示されているため、制御部１は、通常のコピーを指示せずに、ページメモリ４内の６ページ目の画像データを命令Ａ３に添付する。走査するメモリ（原稿の画像データ）はここで終了であるため、制御部１は、ここで命令Ａ３と添付画像を通信部３に送信する（Ｓ１１１）。
【００９１】
また、本動作例における６ページ目の原稿のように、コピーモードから加筆処理モードに切り替わった場合、ページメモリ４は、複写用に蓄積された６ページ目の原稿の画像データを破棄し、印刷部３は、６ページ目の原稿の複写処理を実行しない。従って、確実なメモリ管理が可能になる。
【００９２】
以上説明したように、本実施形態において、画像処理装置は、全ての入力画像（原稿の画像データ）に対して処理を事前に把握し、コピーモードにおける印刷処理より先だって、加筆処理モードによる加筆処理を行う。従って、Ｅ−Ｍａｉｌ送信票とともに送付する原稿に対して、誤って複写処理を行うことなく、適切な処理を行うことが可能となる。
【００９３】
（第２の動作例）
以下、複数枚の原稿をオペレータが一枚一枚原稿画像を読み取る際（原稿台利用時）において、１ページ目が紙サービス原稿であり、２ページ目以降がそのサービスに従属するデータ原稿である場合、画像処理装置が１ページ目の紙サービスを開始するタイミングと２ページ目以降の原稿のどこまでを従属データとするかを判断する処理について説明する。
【００９４】
図１１は、従来の複写機による第２の動作例を示す図である。また、図１３は、本発明の一実施形態における画像処理装置による第２の動作例を示す図である。図１１および図１３には、画像処理装置の各部位（ページメモリ４、加筆処理メモリ５、印刷部３、制御部１、および通信部７）における各処理が示されている。
【００９５】
第２の動作例では、図１１のような３枚の原稿がかけられて処理することとする。第２の動作例におけるオペレータの処理目的は１ページ目：発注、２ページ目：コピーモード設定、３ページ目：Ｅ−Ｍａｉｌ送信票の複写であるとする。
【００９６】
図１１に示されているように、従来の自動帳票処理可能な複写機は、単票処理のため、１ページ目は発注・２ページ目はコピーモード設定する。しかし３ページ目の原稿に対してメールを送信してしまう。このように「コピーモード」と「加筆処理モード」とが混在する場合、加筆モードの開始や終了の判定が決められなく、その結果としてオペレータが望む処理と異なった処理を実行してしまう。
【００９７】
ＡＤＦではなくオペレータが原稿台に原稿を１枚１枚載せてコピーボタンを押して原稿画像を読み取る場合、従来の装置は、コピー開始ボタンは単票処理に対応しているため、上記で説明した加筆処理メモリに全ての入力画像の処理結果を一旦保持することができない。即ち、コピー開始ボタンが押されるたびにページメモリに１枚分の画像が入力され、必要に応じて加筆処理が実行され、復帰する。
【００９８】
図１４は、本発明の一実施形態における表示入力部１１をオペレーションパネルとした例を示す図である。図１４に示されるように、本実施形態におけるオペレーションパネルには、従来の複写機のオペレーションパネルと比べて、連続読取／単票読取の設定変更ボタン３０と、スキャン終了ボタン３１と、が新たに設けられている。単票読取開始ボタン３２は、従来の複写機のコピー開始ボタンと同様である。
【００９９】
ここでは、オペレータは、連続読取／単票読取の設定変更ボタン３０を押下して、画像処理装置を連続読取モードに設定する。次に、オペレータは、単票読取開始ボタン３２を押下すると、画像処理装置は、単票帳票の読み取りを開始する。画像処理装置が所望の枚数の単票を読み取った後、オペレータがスキャン終了ボタン３１を押下することで、画像処理装置の連続読取モードが解除される。
【０１００】
図１５は、スキャン終了ボタン３１とトリガメモリ９との関係を示す図である。スキャン終了ボタン３１のステータスは、トリガメモリ９に直結しており、本実施形態では、スキャン終了ボタン３１が「ＯＮ」時にトリガメモリ９が「１」、スキャン終了ボタン３１が「ＯＦＦ」時にトリガメモリが「０」としている。本実施形態では、画像処理装置は、トリガメモリ９の値の変化をスタートにして加筆原稿に対する処理を開始することで、トリガメモリ９の値が変化するまでにオペレータによって読み込まれた画像をページメモリ４に記憶し、一括した加筆処理を実行可能にしている。本実施形態における画像処理装置は、トリガメモリ９を用いて、トリガメモリ９内容が変化したとき、例えば「０」→「１」に変化したときに、オペレータからの画像入力操作が終了したと判断して、加筆処理を行う。
【０１０１】
本動作例では、モード検出手段１０を用いて、加筆処理モードとコピーモードとの間のモード切替またはモードの継続を検出し、その検出結果に応じて、オペレータによるモード選択指示を受け付ける。モード検出手段１０は、加筆処理メモリ５内のページ単位のモードを示す情報のみ、即ち「コピーモード」および「加筆処理モード」のうちのどちらのモードが選択されているかを示す情報のみを保持するソフトウエアである。
【０１０２】
図１６は、本発明の一実施形態におけるモード検出手段１０を示す図である。また、図１７は、本発明の一実施形態におけるオペレーションパネルの表示例を示す図である。モード検出手段１０は、加筆処理メモリ５のモード情報を画像処理装置に設けられているモードメモリに蓄える（図６には図示されていない）。制御部１は、モードメモリ内の情報を監視し、モードメモリ内の情報が「コピーモード」→「加筆処理モード」に推移したとき、または「加筆処理モード」が連続したときに、図１７のようにオペレーションパネルは、モードの選択を促す旨の表示を行い、オペレータにモード選択指示を仰ぐ。
【０１０３】
以下、図１３を用いて、本実施形態における画像処理装置が、オペレータからモード選択指示を受け付ける処理について説明する。
【０１０４】
まず、制御部１は、１ページ目の原稿モード判定を行う。本モードは「加筆処理モード」である（Ｓ２００）。１ページ目の原稿の処理の命令Ａ１は、単票処理で記入内容を所定のテーブルに代入するものであり、後続する資料などの原稿に対する引数を伴わない。加筆処理メモリ５は、この命令Ａ１を通信部７に送信する。通信部７は、上記の命令Ａ１を受信すると、通信部７は、接続されている外部サーバ８に命令Ａ１および１ページ目の原稿のデータを送信し、外部サーバ８が命令Ａ１に応じた処理を行う（Ｓ２０１）。
【０１０５】
次に、制御部１は、２ページ目の原稿のモード判定を行う。本モードは「加筆処理モード」である（Ｓ２０２）。この処理の命令Ａ２は、記入内容に対応したコピーモードを機器に設定することであり、後続する資料を暗黙の引数としている。命令Ａ２は、制御部１に送信され、所望のコピーモードが設定される。
【０１０６】
最後に、制御部１は、３ページ目の原稿のモード判定を行う。本モードは「加筆処理モード」である（Ｓ２０４）。その処理の命令Ａ３は、記入内容に従って後続する資料を添付してメールすることである。但し後続資料が存在しないために、３ページ目の記入内容がメールの対象となるが、２ページ目の処理結果より３ページ目の原稿は引数として扱われるため、メールは送信されずに、２ページ目で設定したコピーモードで３ページ目の原稿の複写処理が行われる。
【０１０７】
モードメモリ内の情報が「コピーモード」→「加筆処理モード」に推移したとき、または「加筆処理モード」が連続したとき、画像処理装置は、必要に応じて図１７のようなオペレータ側のモード選択を受け付けるメッセージを表示入力部１１（オペレーションパネル）に表示し、オペレータの要望を確認する。画像処理装置は、このようなメッセージを表示するタイミングを規定している。従って、画像処理装置は、「コピーモード」→「加筆処理モード」に推移したとき、または「加筆処理モード」が連続したときに処理モードを自ら判断せずに、オペレータ側で指示することが可能となり、誤動作することなくオペレータの指示に沿った所望の処理を遂行できるようになる。
【０１０８】
以上説明したように、本実施形態によれば、画像処理装置は、全原稿に付加されているバーコードの有無およびバーコードの情報内容を判断して、各原稿の処理モードを設定する。従って、画像処理装置は、「加筆処理モード」と「コピーモード」とが混在する紙帳票に対する、連続した処理の自動化が図ることが可能となる。また、オペレータに対する作業負荷低減が可能になるほか、紙を情報入力媒体とする紙サービスにおける画像処理装置による誤作動を抑制することが可能となる。
【０１０９】
また、本実施形態によれば、画像処理装置は、ページメモリ４で蓄えられる画像データの所定の処理方法を決定する。従って、制御系のプログラミングにおけるページメモリ４の破棄処理を的確に行うことが可能となる。また、メモリリークなどのソフト的不安定要因など排除し、安定した装置動作稼動を保証することが可能となる。
【０１１０】
また、本実施形態によれば、画像処理装置は、スキャン終了ボタン３１「ＯＮ」により、トリガメモリ９が「１」となると、加筆処理モードにより処理される原稿の読み込みを終了し、読み込んだ原稿の画像データを加筆処理モードで処理する。従って、画像処理装置は、ＡＤＦのみならず、単票を複数回読み込むようなモードにおいても、「加筆処理モード」と「コピーモード」とが混在する紙帳票に対して連続した処理の自動化を図ることが可能となる。
【０１１１】
また、本実施形態によれば、画像処理装置は、「加筆処理モード」と「コピーモード」とが混在する紙帳票に対して、オペレータが要求する処理モードを自動判定することが困難な場合であっても、オペレータに対する指示要求を出すタイミングを決定する手段を提供する。従って、画像処理装置は、確実にオペレータが要求する処理を行わせることができ、誤動作のない安定した処理を行うことが可能となる。
【０１１２】
また、以上説明した処理は、画像処理装置が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１１３】
なお、上記の実施形態は本発明の好適な実施の一例であり、本発明の実施形態は、これに限定されるものではなく、本発明の要旨を逸脱しない範囲において種々変形して実施することが可能となる。
【０１１４】
【発明の効果】
以上説明したように、本発明によれば、画像処理装置は、全原稿の画像上の情報を読み取って、各原稿の処理内容を設定する。従って、画像処理装置は、加筆処理と印刷処理とが混在する原稿に対する、連続した処理の自動化が図ることが可能となる。また、オペレータに対する作業負荷低減が可能になるほか、紙を情報入力媒体とする紙サービスにおける画像処理装置による誤作動を抑制することが可能となる。
【０１１５】
また、本発明によれば、情報格納手段は、情報入力手段により画像読み取りの終了指示情報が入力されると、自身に格納される情報を変化させる。加筆処理手段は、情報格納手段により格納された値の変化を検出すると、処理命令に応じた加筆処理を開始する。従って、画像処理装置は、ＡＤＦのみならず、単票を複数回読み込むようなモードにおいても、加筆処理と印刷処理とが混在する原稿に対して連続した処理の自動化を図ることが可能となる。
【０１１６】
また、本発明によれば、画像処理装置は、画像入力手段により読み取られた全原稿の画像に対する処理内容が、加筆処理および印刷処理のうちのいずれであるかを示す処理内容情報を前記読み取られた原稿順に並べて検出し、その検出された処理内容情報に応じて、各原稿の処理内容の設定入力を外部から受け付ける。従って、画像処理装置は、確実にオペレータが要求する処理を行わせることができ、誤動作のない安定した処理を行うことが可能となる。
【図面の簡単な説明】
【図１】本発明の一実施形態における画像処理装置による自動発注処理を示す図である。
【図２】本発明の一実施形態における画像処理装置のコピーモードを紙への加筆によって設定する処理を示す図である。
【図３】本発明の一実施形態における画像処理装置によるＥ−Ｍａｉｌ送信動作を示す図である。
【図４】自動帳票処理システム全体の構成図である。
【図５】（ａ）は、帳票作成ソフトウエアが有する帳票データ定義テーブルを示す図であり、（ｂ）は、（ａ）に示される帳票データ定義テーブルをＸＭＬファイルとして出力した例を示す図である。
【図６】本発明の一実施形態における画像処理装置の構成を示す図である。
【図７】本発明の第１の実施例における画像処理装置の構成を示す図であって、画像処理装置を複写機とした場合を示す。
【図８】本発明の第２の実施例における画像処理装置の構成を示す図であって、画像処理装置をコンピュータシステムとした場合を示す。
【図９】本発明の一実施形態における画像処理装置の各モード時のシーケンスを示す図である。
【図１０】従来の複写機による第１の動作例を示す図である。
【図１１】従来の複写機による第２の動作例を示す図である。
【図１２】本発明の一実施形態における画像処理装置による第１の動作例を示す図である。
【図１３】本発明の一実施形態における画像処理装置による第２の動作例を示す図である。
【図１４】本発明の一実施形態における表示入力部をオペレーションパネルとした例を示す図である。
【図１５】スキャン終了ボタンとトリガメモリとの関係を示す図である。
【図１６】本発明の一実施形態におけるモード検出手段を示す図である。
【図１７】本発明の一実施形態におけるオペレーションパネルの表示例を示す図である。
【符号の説明】
１　制御部
１ａ、１ｂ　ＣＰＵ
２　画像入力部
２ａ　スキャナ部
２ｂ　デジタルカメラ
３　印刷部
３ａ　プリンタ部
３ｂ　プリンタ
４　ページメモリ
４ａ　ページＲＡＭ
４ｂ　画像格納メモリ
５　加筆処理メモリ
５ａ　加筆処理ＲＡＭ
５ｂ　加筆処理用メモリ
６　加筆処理部
６ａ　帳票処理ソフト
６ｂ　ソフトウエアルーチン
７　通信部
７ａ、７ｂ　ＴＣＰ／ＩＰ
８、８ａ　外部サーバ
８ｂ　帳票処理アプリ
９　トリガメモリ
９ａ　トリガＲＡＭ
９ｂ　トリガ用メモリ
１０、１０ａ、１０ｂ　モード検出手段
１１　表示入力部
１１ａ　オペレーションパネル
１１ｂ　ディスプレイ
２０　帳票作成システム
２１　文書管理サーバ
２１ａ　管理テーブル
２２　データベースサーバ
２２ａ　○○申請書テーブル
２３　帳票処理システム
２４ａ、２４ｂ、２４ｃ　帳票
２４ｄ　加筆部分
３０　連続読取／単票読取の設定変更ボタン
３１　スキャン終了ボタン
３２　単票読取開始ボタン
【図１】
2004104713.tif 000003
【図２】
2004104713.tif 000004
【図３】
2004104713.tif 000005
【図４】
2004104713.tif 000006
【図５】
2004104713.tif 000007
【図６】
2004104713.tif 000008
【図７】
2004104713.tif 000009
【図８】
2004104713.tif 000010
【図９】
2004104713.tif 000011
【図１０】
2004104713.tif 000012
【図１１】
2004104713.tif 000013
【図１２】
2004104713.tif 000014
【図１３】
2004104713.tif 000015
【図１４】
2004104713.tif 000016
【図１５】
2004104713.tif 000017
【図１６】
2004104713.tif 000018
【図１７】
2004104713.tif 000019